(57)【要約】      （修正有）【課題】パイプを段違いにならないように、しかも横パイプが容易に回ったり、あるいはねじれたりしないように連結できるパイプ組立体用クランプ装置を提供する。【解決手段】第１の仮設足場パイプ用クランプ装置１を２つの連結クランプ３、４を固定して一体化することにより構成する。連結クランプ３を、丸材を締め付けるように形成された丸形連結クランプとして構成する。また、連結クランプ４を、角材を締め付けるように形成された角形連結クランプとして構成する。２つの連結クランプ３、４は、軸心Ｌが直交するようにＬ形金具５９を用いて固定され連結されている。【選択図】図１Ａ
0003180878.tif 000002
【実用新案登録請求の範囲】
【請求項１】
パイプの外周に嵌められてこのパイプを締め付ける連結クランプを複数個一体化し、複数のパイプを連結固定してパイプ組立体を構成するパイプ組立体用クランプ装置であって、
それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプである、ことを特徴とするパイプ組立体用クランプ装置。
【請求項２】
足場パイプの外周に嵌められてこの足場パイプを締め付ける連結クランプを複数個一体化し、複数の足場パイプを連結固定して仮設足場を構成する仮設足場パイプ用クランプ装置であって、
それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプである、ことを特徴とする仮設足場パイプ用クランプ装置。
【請求項３】
縦方向に延びる縦パイプと、横方向に延びる横パイプと、パイプ締め付け用の連結クランプを複数個一体化し、前記縦パイプ及び前記横パイプを連結固定するパイプ用クランプ装置と、を備えたパイプ組立体であって、
それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプであり、
前記縦パイプは丸形であり、前記横パイプは角形端部を有していて、
前記丸形連結クランプは前記縦パイプを締め付け、前記角形連結クランプは、前記横パイプの前記角形端部を締め付けている、ことを特徴とするパイプ組立体。
【請求項４】
縦方向に延びる足場縦パイプと、横方向に延びる足場横パイプと、パイプ締め付け用の連結クランプを複数個一体化し、前記足場縦パイプ及び足場横パイプを連結固定する足場パイプ用クランプ装置と、を備えた仮設足場であって、
それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプであり、
前記足場縦パイプは丸形であり、前記足場横パイプは角形端部を有していて、
前記丸形連結クランプは前記足場縦パイプを締め付け、前記角形連結クランプは、前記足場横パイプの前記角形端部を締め付けている、ことを特徴とする仮設足場。
【請求項５】
前記横パイプは、前記角形端部以外が丸形に形成されている、ことを特徴とする請求項３記載のパイプ組立体。
【請求項６】
前記足場横パイプは、前記角形端部以外が丸形に形成されている、ことを特徴とする請求項４記載の仮設足場。
【請求項７】
前記横パイプ同士を、断面正方形の外面を有する中間部材の両側から突出する挿入パイプを備えたジョイントで連結した構造を有する、ことを特徴とする請求項３記載のパイプ組立体。
【請求項８】
前記縦パイプと前記横パイプとの間に配置された筋交いパイプを備え、この筋交いパイプは角形端部を有していて、前記筋交いパイプと前記縦パイプ及び前記横パイプとは、前記筋交いパイプの前記角形端部に接続され、この角形端部から突出する丸形パイプを有するジョイントを用いて連結されている、ことを特徴とする請求項３記載のパイプ組立体。
【考案の詳細な説明】
【技術分野】
【０００１】
本考案は、建築工事等に際して設置し、必要な建築工事等の終了とともに撤去する仮設足場などのパイプ組立体に関する。
【背景技術】
【０００２】
建築工事の際に利用する仮設足場は、金属製の足場パイプ同士を金属製のクランプ装置で連結固定しながら設置する。このようなクランプ装置としては、例えば特許文献１に記載されているように、足場パイプの外周に嵌められてこの足場パイプを締め付ける連結クランプを複数個（具体的には２つ）一体化したものが用いられていて、それぞれの連結クランプは、一対のクランプ片の基部をヒンジ連結し、クランプ片の開口側をボルト及びナットで締め付けることができるように構成されている。このクランプ装置では、一対のクランプ片を開いた状態として足場パイプの外周に嵌めてから閉じた状態とし、クランプ片の開口側をボルト及びナットで締め付けて足場パイプを固定する。そうすると、連結クランプの数に対応した足場パイプが互いに連結されることとなる。
【先行技術文献】
【特許文献】
【０００３】
【特許文献１】特開２００６−２１４０７９号公報
【考案の概要】
【考案が解決しようとする課題】
【０００４】
しかしながら、特許文献１に記載されたようなクランプ装置では、連結個所で足場パイプがずれて組み合わされることとなる。具体的には、クランプ装置によって２本の足場パイプが十字状に組み合わされることとなる。したがって、連結した足場パイプが段違いのものとなり、足場の構成に不便であるし、足場パイプの端部を固定している個所では足場パイプの端が露出していて危険である。
【０００５】
そこで本考案は、足場パイプなどのパイプを段違いにならないように、かつ安定した状態で連結できる仮設足場パイプ用クランプ装置などのパイプ組立体用クランプ装置及びこのようなクランプ装置を用いたパイプ組立体を提供することを目的とする。
【課題を解決するための手段】
【０００６】
この目的を達成するための本考案のパイプ組立体用クランプ装置は、パイプの外周に嵌められてこのパイプを締め付ける連結クランプを複数個一体化し、複数のパイプを連結固定してパイプ組立体を構成するパイプ組立体用クランプ装置であって、それぞれの前記連結クランプは、一対のクランプ片（クランプ部材）の基部をヒンジ連結し、このクランプ片の開口側を締め付け手段で締め付けることができるように例えば環状に構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプである、といったものである。パイプ組立体には、仮設足場の他に、間仕切りやパーティションなどの家具が含まれる。また、この目的を達成するための本考案の仮設足場パイプ用クランプ装置は、足場パイプの外周に嵌められてこの足場パイプを締め付ける連結クランプを複数個一体化し、複数の足場パイプを連結固定して仮設足場を構成する仮設足場パイプ用クランプ装置であって、それぞれの前記連結クランプは、一対のクランプ片の基部をヒンジ連結し、このクランプ片の開口側を締め付け手段で締め付けることができるように例えば環状に構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプである、といったものである。一対のクランプ片の軸心とはクランプ片を閉じたときの軸心又は一対のクランプ片でパイプ又は足場パイプを締め付けたときのパイプ又は足場パイプの軸心である。ここでは、それぞれの連結クランプに固定されたパイプ又は足場パイプは軸心が直交する状態で連結されることとなる。複数の連結クランプのうちの一つは、一対のクランプ片の内周が丸材（断面円形のもの）を締め付けるように形成された丸形連結クランプである。丸形連結クランプは、例えば、締め付け状態で一対のクランプ片の内周が円形となっている。また、残りの連結クランプは、一対のクランプ片の内周が角材（断面角形、例えば正方形のもの）を締め付けるように形成された角形連結クランプである。角形連結クランプは、例えば、締め付け状態で一対のクランプ片の内周が角形、例えば正方形となっている。ここでは、例えば、丸形連結クランプで縦方向に伸びた断面円形の縦パイプを締め付け、角形連結クランプで横方向に延びる断面角形、例えば正方形の横パイプを締め付ける。横パイプは、例えば端部のみ断面角形に形成され、その他の部分は断面円形に形成される。例えば丸形連結クランプで縦パイプを緩く締め付け、角形連結クランプが適切な位置となり、横パイプの端部に嵌まるようにクランプ装置を縦パイプを中心として回転させる。
そして、丸形連結クランプで縦パイプをきつく締め付けるとともに、角形連結クランプで横パイプの端部をきつく締め付ける。角形連結クランプは横パイプの端部に非回転状態で嵌まっているので横パイプが回転することはなく、またねじれることもなく、安定したパイプの組立体を構成できる。
【０００７】
本考案では、複数の連結クランプを固定状態で一体化することができる。
【０００８】
また、本考案のパイプ組立体、例えば仮設足場は、縦方向に延びる縦パイプ、例えば足場縦パイプと、横方向に延びる横パイプ、例えば足場横パイプと、パイプ締め付け用の連結クランプを複数個一体化し、前記縦パイプ及び前記横パイプを連結固定するパイプ用クランプ装置、例えば足場パイプ用クランプ装置と、を備えたパイプ組立体、例えば仮設足場であって、それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられていて、前記連結クランプの一つは、一対の前記クランプ片の内周が丸材を締め付けるように形成された丸形連結クランプであり、残りの前記連結クランプは、一対の前記クランプ片の内周が角材を締め付けるように形成された角形連結クランプであり、前記縦パイプ、例えば足場縦パイプは丸形であり、前記横パイプ、例えば足場横パイプは角形端部を有していて、前記丸形連結クランプは前記縦パイプ、例えば足場縦パイプを締め付け、前記角形連結クランプは、前記足場横パイプ、例えば足場横パイプの前記角形端部を締め付けている、といったものである。
【０００９】
横パイプ、例えば足場横パイプは、角形端部以外が丸形に形成されていることが好ましい。
【００１０】
断面正方形の外面を有する中間部材の両側から突出する挿入パイプを備えたジョイントで、角形端部を有する横パイプ同士を連結した構造を有することができる。
【００１１】
また、縦パイプと横パイプとの間に筋交いパイプを配置して補強を行なうことができる。筋交いパイプには横パイプと同じ構成のものを用いることができるが、２つの丸形連結クランプを、それぞれの一対のクランプ片の軸心が直交するように設けるとともに、軸心の交差角度を変化させることができるようにした連結クランプを用いることができるように、筋交いパイプの角形端部に、角形端部から丸形パイプが突出するようにジョイントを接続したものでもよい。
【考案の効果】
【００１２】
本考案のパイプ組立体用クランプ装置又は仮設足場パイプ用クランプ装置を用いれば、パイプ又は足場パイプを段差が生じないように、しかも横パイプが容易に回ったり、あるいはねじれたりしないように連結できるので、パイプ組立体又は仮設足場を安全に、かつ、安定して構成できる。また、本考案のパイプ組立体及び仮設足場は安全かつ安定した構成を有する。
【図面の簡単な説明】
【００１３】
【図１Ａ】本考案に係る第１の仮設足場パイプ用クランプ装置の斜視図である。
【図１Ｂ】図１ＡのＬ型金具の変更例を示す図である。
【図２】第１の仮設足場パイプ用クランプ装置を用いて構成した仮設足場を示す図である。
【図３】本考案に係る第２の仮設足場パイプ用クランプ装置の斜視図である。
【図４】第２の仮設足場パイプ用クランプ装置を用いて構成した仮設足場を示す図である。
【図５】本考案に係る第３の仮設足場パイプ用クランプ装置の斜視図である。
【図６】第３の仮設足場パイプ用クランプ装置を用いて構成した仮設足場を示す図である。
【図７】第２の仮設足場パイプ用クランプ装置と第３の仮設足場パイプ用クランプ装置を用いて構成した仮設足場を示す図である。
【図８】足場縦パイプが配置されない個所での足場横パイプの連結方法を示す図である。
【図９】足場横パイプ同士をジョイントで連結した状態を示す図である。
【図１０】ジョイントを用いて構成した仮設足場を示す図である。
【図１１】別の仮設足場パイプ用クランプ装置を示す図である。
【図１２】別の筋交いパイプを示す図である。
【考案を実施するための形態】
【００１４】
以下、図面を参照して本考案の実施の形態を説明する。
【００１５】
図１Ａは本考案に係る第１の仮設足場パイプ用クランプ装置の斜視図、図２は第１の仮設足場パイプ用クランプ装置を用いて構成した仮設足場を示す図である。
【００１６】
第１の仮設足場パイプ用クランプ装置１は、２つの連結クランプ３、４を固定して一体化することにより構成されている。一方の連結クランプ３は、幅方向両端部に内側に突出する固定壁５を有する、屈曲したベースクランプ片７と、このベースクランプ片７の基端部１１にヒンジピン１３によって基端部１５が揺動可能に連結された、湾曲する揺動クランプ片１７と、ベースクランプ片７の先端部１９にヒンジピン２１によって後端部２３が回転可能に接続され、先端側に形成された雄ネジ２５に締め付け用ナット２７がネジ付けられた閉塞用ボルト２９と、を備えている。揺動クランプ片１７の先端部には閉塞用ボルト２９の先端側を収容する収容溝３１が形成されていて、ベースクランプ片７の固定壁５の内周及び揺動クランプ片１７の内面は足場パイプの外周に対応して円弧状に湾曲し、連結クランプ３はベースクランプ片７及び揺動クランプ片１７の内周が丸材を締め付けるように形成された丸形連結クランプとなっている。他方の連結クランプ４は、幅方向両端部に内側に突出する固定壁３２を有するプレート状のベースクランプ片３３と、このベースクランプ片３３の基端部３５にヒンジピン３７によって基端部３９が揺動可能に接続された、幅方向両端部に内側に突出する固定部４１を有する、折れ曲った揺動クランプ片４３と、揺動クランプ片４３の先端部４４にヒンジピン４５によって後端部４７（上端部）が回転可能に接続され、先端側（下端側）に形成された雄ネジ４９に締め付け用ナット５１がネジ付けられた閉塞用ボルト５３と、を備えている。ベースクランプ片３３の先端部には、閉塞用ボルト５３を通過させ、閉塞用ボルト５３の締め付け用ナット５１を受ける押圧部材５５が揺動可能に取付けられていて、押圧部材５５が締め付け用ナット５１に押されると、押圧部材５５の押圧片５７が足場横パイプの端部に押し付けられ、この横パイプの端部を締め付ける。ベースクランプ片３３の固定壁３２の内端及び揺動クランプ片４３の固定部４１の内端は足場横パイプの端部の外周に対応して四角形状に折れ曲がり、連結クランプ４は、ベースクランプ片３３及び揺動クランプ片４３の内周が角材を締め付けるように形成された角形連結クランプとなっている。
【００１７】
連結クランプ３と連結クランプ４はＬ形金具５９を用いて固定され連結されている。Ｌ形金具５９の一方の固定片６１は、一方の連結クランプ３のベースクランプ片７の先端側外面に、幅方向に延びた状態で固定され、Ｌ形金具５９の他方の固定片６３は、他方の連結クランプ４のベースクランプ片３３の外面に、幅方向に延びた状態で固定されている。したがって、それぞれの連結クランプ３、４は軸心Ｌが直交するように配置されている。なお、図１Ｂに示すように、Ｌ形金具５９に補強部６５を設けた三角形状の金具を用いてもよい。
【００１８】
第１の仮設足場パイプ用クランプ装置１を用いてマンションやプラントなどの仮設足場を構成するには、それぞれの連結クランプ３、４で足場パイプ６７、６９を固定する。足場パイプ６７は縦方向に延びる断面円形の足場縦パイプであり、足場パイプ６９は横方向に延びる断面円形の足場横パイプであって、両端部に断面正方形の環状端部材７１が嵌められて固定されている。足場縦パイプ６７の固定は、例えば、揺動クランプ片１７を開いておき、ベースクランプ片７の固定壁５内に足場縦パイプ６７を収めた状態としてから揺動クランプ片１７を閉じ、閉塞用ボルト２９を揺動させて閉塞用ボルト２９の先端側を、締め付け用ナット２７が外側に位置する状態で、揺動クランプ片１７の収容溝３１内に収め、締め付け用ナット２７を回転させて収容溝３１の周囲の外側面に押し付け、揺動クランプ片１７をベースクランプ片７に締め付ける。足場横パイプ６９の固定は、例えば、揺動クランプ片４３を開いておき、ベースクランプ片３３の固定壁３２上に足場横パイプ６９の端部材７１を載せた状態としてから揺動クランプ片４３を閉じ、閉塞用ボルト５３を揺動させて閉塞用ボルト５３の下端側を、締め付け用ナット５１が外側に位置する状態で、一対の押圧片５７間に位置させ、締め付け用ナット５１を回転させて押圧片５７の外側面に押し付け、揺動クランプ片４３をベースクランプ片３３に締め付ける。そうすると、足場横パイプ６９の端部が足場縦パイプ６７の外周面に当接又は接近した状態で足場縦パイプ６７と足場横パイプ６９が連結固定されることとなる。ここでは、閉塞用ボルト５３の締め付け用ナット５１は第１の仮設足場パイプ用クランプ装置１の下端部又は下側に位置しているので締め付け及び解除作業が容易となる。
【００１９】
図３は本考案に係る第２の仮設足場パイプ用クランプ装置の斜視図、図４は第２の仮設足場パイプ用クランプ装置を用いて構成した仮設足場を示す図である。
【００２０】
第２の仮設足場パイプ用クランプ装置７３は、３つの連結クランプを固定して一体化することにより構成されている。
【００２１】
３つの連結クランプの内の第１連結クランプ７５は連結クランプ３と同じ構成のものであり、この第１連結クランプには、第２用Ｌ形金具５９を用いて３つの連結クランプの内の第２連結クランプ７７が固定され、また、第３用Ｌ形金具５９を用いて３つの連結クランプの内の第３連結クランプ７９が固定されている。第２連結クランプ７７及び第３連結クランプ７９は連結クランプ４と同じ構成のものである。第２用Ｌ形金具５９の一方の固定片６１の先端側は、第１連結クランプ７５のベースクランプ片７の先端側外面に、幅方向に延びた状態で固定され、この第２用Ｌ形金具５９の他方の固定片６３は、第２連結クランプ７７のベースクランプ片３３の先端側外面に、幅方向に延びた状態で固定されている。また、第３用Ｌ形金具５９の一方の固定片６１の先端側は、第１連結クランプ７５のベースクランプ片７の後端側外面に、幅方向に延びた状態で固定され、この第３用Ｌ形金具５９の他方の固定片６３は、第３連結クランプ７９のベースクランプ片３３の先端側外面に、幅方向に延びた状態で固定されている。したがって、第２連結クランプ７７と第３連結クランプ７９は、第１連結クランプ７５の軸心の周りで９０度ずれて位置し、それぞれの軸心が第１連結クランプ７５の軸心と直交し、互いに直交するように配置されている。また、第２連結クランプ７７と第３連結クランプ７９は、第１連結クランプ７５の軸心方向で同じ位置（同じ高さ）となるように配置されているが、第１連結クランプ７５とは、この第１連結クランプ７５の軸心方向で位置（高さ）が異なるように配置されている。
【００２２】
第２の仮設足場パイプ用クランプ装置７３を用いて、マンションやプラントなどの仮設足場を構成するには、第１、第２及び第３連結クランプ７５、７７、７９でそれぞれ、足場パイプ６７、６９を固定する。ここでは例えば、図４に示すように、第１連結クランプ７５で垂直方向に延びる足場縦パイプ６７を固定し、第２及び第３連結クランプ７７、７９でそれぞれ、水平方向に延びる足場横パイプ６９を固定する。そうすると、水平方向に延びるそれぞれの足場横パイプ６９の端部が垂直方向に延びる足場縦パイプ６７の外周面に当接又は接近した状態で足場縦パイプ６７と足場横パイプ６９が連結固定されることとなる。ここでも、閉塞用ボルト５３の締め付け用ナット５１は第２の仮設足場パイプ用クランプ装置７３の下端部又は下側に位置している。
【００２３】
図５は本考案に係る第３の仮設足場パイプ用クランプ装置の斜視図、図６は第３の仮設足場パイプ用クランプ装置を用いて構成した仮設足場を示す図である。
【００２４】
第３の仮設足場パイプ用クランプ装置８１は、３つの連結クランプ７５、７７、７９を固定して一体化することにより構成されている。
【００２５】
３つの連結クランプの内の第１連結クランプ７５には、フラットな第２用取付金具８３を用いて３つの連結クランプの内の第２連結クランプ７７が固定され、また、フラットな第３用取付金具８５を用いて３つの連結クランプの内の第３連結クランプ７９が固定されている。第２用取付金具８３の一端部は、第１連結クランプ７５のベースクランプ片７の後端側固定壁５の外面に固定され、この第２用取付金具８３の他端部は、第２連結クランプ７７のベースクランプ片３３の外面に固定されている。また、第３用取付金具８５の一端部は、第１連結クランプ７５のベースクランプ片７の先端側固定壁５の外面に固定され、この第３用取付金具８５の他端部は、第３連結クランプ７９のベースクランプ片３３の外面に固定されている。したがって、第２連結クランプ７７と第３連結クランプ７９は、第１連結クランプ７５の軸心の周りで９０度ずれ、かつ、第１連結クランプ７５と第１連結クランプ７５の軸心方向で同じ位置（同じ高さ）に配置され、それぞれの軸心が第１連結クランプ７５の軸心と直交し、互いに直交するように設けられている。なお、第１連結クランプ７５、第２連結クランプ７７及び第３連結クランプ７９を、補強のために、Ｌ形金具５９を用いて互いに連結してもよい（仮想線参照）。
【００２６】
第３の仮設足場パイプ用クランプ装置８１を用いて、マンションやプラントなどの仮設足場を構成するには、第１、第２及び第３連結クランプ７５、７７、７９でそれぞれ、足場パイプ６７、６９を固定する。ここでは例えば、図６に示すように、第１連結クランプ７５で垂直方向に延びる足場縦パイプ６７を固定し、第２及び第３連結クランプ７７、７９でそれぞれ、水平方向に延びる足場横パイプ６９を固定する。そうすると、水平方向に延びるそれぞれの足場横パイプ６９の端部が垂直方向に延びる足場縦パイプ６７の外周面に当接又は接近した状態で足場パイプ６７、６９同士が連結固定されることとなる。ここでも、閉塞用ボルト５３の締め付け用ナット５１は第３の仮設足場パイプ用クランプ装置８１の下端部又は下側に位置している。
【００２７】
なお、図７に示すように、第２の仮設足場パイプ用クランプ装置７３の第１連結クランプ７５を垂直方向に延びる足場縦パイプ６７に固定するとともに、第３の仮設足場パイプ用クランプ装置８１の第１連結クランプ７５をこの垂直方向に延びる足場縦パイプ６７に固定することにより（例えば、第２の仮設足場パイプ用クランプ装置７３の第１連結クランプ７５よりも高く、第２の仮設足場パイプ用クランプ装置７３の第２及び第３連結クランプ７７、７９と同じ高さに固定する）、垂直方向に延びる足場縦パイプ６７を中心に、４本の水平方向に延びる足場横パイプ６９を同じ高さで放射状に連結することができる。
【００２８】
図８は足場縦パイプ６７が配置されない個所での足場横パイプ６９の連結方法を示す図、図９は足場横パイプ６９同士をジョイントで連結した状態を示す図である。
【００２９】
足場縦パイプ６７を配置できない個所では足場横パイプ６９同士を連結することとなるが、足場横パイプ６９同士の連結には、ジョイント８７が用いられる。ジョイント８７は、足場縦パイプ６７の端部材７１と同一の外形を有する断面正方形のブロック８９の両側に挿入パイプ９１を有して構成され、挿入パイプ９１の先端にはＬ形の抜け止め溝９３が周方向２ヶ所に形成されている。挿入パイプ９１の外径は、足場横パイプ６９の端部内側の円形パイプ部分に挿入される大きさとなっている。足場横パイプ６９の端部内側の円形パイプ部分には、抜け止めピン９５が周方向２ヶ所に設けられている。足場横パイプ６９をジョイント８７で連結するには、抜け止め溝９３内に抜け止めピン９５が入るように挿入パイプ９１をそれぞれの足場横パイプ６９の端部内側の円形パイプ部分に挿入し、ジョイント８７を９０度相対的に回転させる。そうすると、抜け止めピン９５が抜け止め溝９３の周方向部分に嵌まり込み、図９に示すように、足場横パイプ６９同士がジョイント８７を介して抜け止め連結される。
【００３０】
図１０はジョイント８７を用いて構成した仮設足場を示す図である。
【００３１】
ジョイント８７による連結は不安定なので補強を構成する。補強は、隣の足場横パイプ６９との間に足場横パイプ６９を掛け渡すことにより行なう。ジョイント８７個所と掛け渡した足場横パイプ６９との連結は、第１の仮設足場パイプ用クランプ装置１を用いて行なう。すなわち、連結クランプ３で一方の足場横パイプ６９の円形パイプ部分（Ａ）を固定し、連結クランプ４で掛け渡した足場横パイプ６９の端部材７１（Ａ’）を固定する。また、隣りの足場横パイプ６９は、第１の仮設足場用クランプ装置１を２つ用いて足場縦パイプ６７に連結される。すなわち、一方のクランプ装置１の連結クランプ３で足場縦パイプ６７の下側個所（Ｂ）を固定し、連結クランプ４で一方の足場横パイプ６９の端部材７１（Ｂ’）を固定する。そして、他方のクランプ装置１の連結クランプ３で足場縦パイプ６９の上側個所（Ｃ）を固定し、連結クランプ４で他方の足場横パイプ６９の端部材７１（Ｃ’）を固定する。また、隣りの足場横パイプ６９と掛け渡した足場横パイプ６９との連結は、第１の仮設足場パイプ用クランプ装置１を用いて行なう。連結クランプ３で一方の足場横パイプ６９の円形パイプ部分（Ｄ）を固定し、連結クランプ４で掛け渡した足場横パイプ６９の端部材７１（Ｄ’）を固定する。
【００３２】
さらに、ジョイント８７で連結された足場横パイプ６９が接続される足場縦パイプ６７とこの足場横パイプ６９との間に筋交いパイプ９３を掛け渡す。筋交いパイプ９３は円形パイプである。筋交いパイプ９３と足場横パイプ６９との連結は、連結クランプ４を連結クランプ３に代え、またＬ形金具５９の折り曲げ部をヒンジ９５で連結した図１１に示す第４の仮設足場パイプ用クランプ装置９７を用いて行なう。一方の連結クランプ３で足場横パイプ６９の円形パイプ部分（Ｅ）を固定し、他方の連結クランプ３で筋交いパイプ９３の上側端部（Ｅ’）を固定する。また、筋交いパイプ９３と足場縦パイプ６７との連結も、第４の仮設足場パイプ用クランプ装置９７を用いて行なう。一方の連結クランプ３で足場縦パイプ６７の上側個所（Ｆ）を固定し、他方の連結クランプ３で筋交いパイプ９３の下側端部（Ｆ’）を固定する。なお、筋交いパイプ９３が掛け渡される足場横パイプ６９及び足場縦パイプ６７の連結は、隣りの足場横パイプ６９と足場縦パイプ６７との連結と同様に第１の仮設足場パイプ用クランプ装置１を用いて行なう。
【００３３】
なお、筋交いパイプ９３に足場横パイプ６９と同じ構成のパイプを用いる場合には、小径の挿入パイプ９９と大径の固定パイプ１０１とを一体的に有するジョイント１０３を用いる（図１２参照）。挿入パイプ９９の先端には抜け止め溝１０５が周方向２ヶ所に設けられていて、ジョイント８７の挿入パイプ９１と同様に、挿入パイプ９９を筋交いパイプ９３に接続することができる。そして、ジョイント１０３の固定パイプ１０１と足場縦パイプ６７とを第４の仮設足場パイプ用クランプ装置９７で連結する。
【産業上の利用可能性】
【００３４】
本考案のパイプ組立体用クランプ装置やパイプ組立体は、例えば、マンションやプラントなどの建設工事に使用する仮設足場に利用することができるし、例えば、間仕切りやパーティションなどの家具に利用することもできる。
【符号の説明】
【００３５】
１                        第１の仮設足場パイプ用クランプ装置
３、４、７５、７７、７９  連結クランプ
２７、５１                締め付け用ナット
２９、５３                閉塞用ボルト
６７                      足場縦パイプ
６９                      足場横パイプ
７３                      第２の仮設足場パイプ用クランプ装置
８１                      第３の仮設足場パイプ用クランプ装置
【図１Ａ】
0003180878.tif 000003
【図１Ｂ】
0003180878.tif 000004
【図２】
0003180878.tif 000005
【図３】
0003180878.tif 000006
【図４】
0003180878.tif 000007
【図５】
0003180878.tif 000008
【図６】
0003180878.tif 000009
【図７】
0003180878.tif 000010
【図８】
0003180878.tif 000011
【図９】
0003180878.tif 000012
【図１０】
0003180878.tif 000013
【図１１】
0003180878.tif 000014
【図１２】
0003180878.tif 000015